(57)【要約】【課題】高圧電力ケーブル用の分岐接続箱において、従来は自立型と壁掛型の２種類があり、いずれを使用するかは現地調査により決定され短納期が要求されるので、予め製作した在庫製品での対応が困難であり、コスト高や据え付け工事での安全面等の問題点を解決する。【解決手段】筐体と、その筐体の内部に配設されたケーブルの分岐接続手段と、その筐体を外部物体に取付ける筐体取付け手段とを備える分岐接続箱であって、筐体は４体の縦フレームと四角枠体形状の横フレームとが立方体形状に形成されたフレーム立体と、上部の蓋体と、下部の底部フレームと、正面に着脱(開閉)自在の正面カバーと、裏面側の裏面カバーと、左右側面に着脱(開閉)自在の２体の側面カバーとを備え、筐体取付け手段は、筐体を自立状態で据え付けするために底部フレームに設けられた自立型取付け手段と、筐体を壁掛け状態で据え付けするために裏面カバーに設けられた壁掛け型取付け手段との２つの手段を備えて構成される。【選択図】      図２
2008086120.tif 000002
【特許請求の範囲】
【請求項１】
筐体と、その筐体の内部に配設されたケーブルの分岐接続手段と、その筐体を外部物体に取付ける筐体取付け手段と、を備える分岐接続箱であって、
前記筐体は、
４体の縦フレームと四角枠体形状の横フレームとが組み合わせられて、立方体形状に形成されたフレーム立体と、
その上部に取付けられる蓋体と、
その下部に取付けられる底部フレームと、
その正面に着脱自在または開閉自在に取付けられる正面カバーと、
その裏面側に取付けられる裏面カバーと、
その左右側面に着脱自在または開閉自在に取付けられる２体の側面カバーと、
を備え、
前記筐体取付け手段は、
前記筐体を自立状態で据え付けするために、前記底部フレームに設けられた自立型取付け手段と、
前記筐体を壁掛け状態で据え付けするために、前記裏面カバーに設けられた壁掛け型取付け手段と、
の２つの手段を備えて構成される、ことを特徴とする分岐接続箱。
【請求項２】
請求項１記載の分岐接続箱において、
前記筐体の底部フレームは、前記筐体の２体の側面カバーの下部に位置するように設けられて、外部物体との自立型据え付けのためのボルト孔と固着用部材とを有し、
前記固着用部材によって、前記筐体の下部にある底部フレームが前記外部物体に据え付け固定されて、前記筐体の自立型取付けがなされる、ことを特徴とする分岐接続箱。
【請求項３】
請求項１記載の分岐接続箱において、
前記筐体の裏面パネルは、外部物体との壁掛け型据え付けのための取付け孔と固着用部材とを備え、
前記固着用部材によって、前記筐体の背面にある裏面パネルが前記外部物体に据え付け固定されて、
前記筐体の壁掛け型取付けがなされる、ことを特徴とする分岐接続箱。
【発明の詳細な説明】
【技術分野】
【０００１】
本発明は、６.６ｋＶ、ＣＶＴケーブル用の分岐接続箱などのような、高圧電力ケーブル用の分岐接続箱とその筐体構造に関するものである。
【背景技術】
【０００２】
従来の６.６ｋＶ、ＣＶＴケーブル用の分岐接続箱としては、図７(写真)に示すように、地面据付け用（自立型）と壁面据付け用（壁掛型）の２種類が使用されていた。そして、図７の分岐接続箱は、その筐体の内部で、高圧電力ケーブル用を分岐・接続する手段を有していて、「幹線−分岐線−幹線」の端末接続図(図３参照)が「Ｅ」を９０度回転させた接続構成となっている。
【０００３】
図７の２種類の分岐接続箱のうち、自立型の分岐接続箱は、筐体下部の両側面に地面据え付け用のアングルが、辺を外向きにして側面カバーの底部の両側に固着されていて、前記アングルに設けたボルト孔を利用して地面の基礎に筐体を固着していた。一方、壁掛け型の分岐接続箱は、筐体背面の上部両側面上下に４箇所に、壁面固着用の取付け金具が筐体に固着され、該取付け金具を利用して筐体を壁面に固着する構造となっていた。前記の分岐接続箱は鉄道の線路に沿って約４００ｍの間隔で設けられるものである。この４００ｍ毎に設ける理由はＣＶケーブルのドラムに巻き取る長さが最大４００ｍ程度の条長とされているため、こうした条長毎に接続箱を設けてケーブル接続部を収納して、接続部の保護、性能の維持、保守・点検性向上の目的で使用されるものである。
【発明の開示】
【発明が解決しようとする課題】
【０００４】
上記の高圧電力ケーブル用の分岐接続箱は、以下のような問題があった。
１）分岐接続箱の設置形態については、客先が現場調査後系統設計を行って、いずれの型にするかを個別に決定するため、予め的確な在庫を持つことが困難で、受注毎に製作していたため納期対応が問題となっていた。
２）自立型や壁掛け型では筐体から取付け金具が外方に突出しているため、躓きや引っ掛けなどにより怪我するおそれがあり、据え付け工事における安全面で問題であった。
３）全て受注生産で筐体を個別に製作していたため、量産化が出来ずコストアップの要因となっていると共に、慢性的な納期遅れを生じていた。
【０００５】
本発明は、上述したような従来の高圧電力ケーブル用の分岐接続箱とその筐体構造の問題点に鑑みてなされたものであって、自立型と壁掛け型との共通化を図る事により在庫生産を可能とし、いずれの据え付け方式となっても即納体制を確立し、且つ大幅なコストダウンを実現した、高圧電力ケーブル用の分岐接続箱とその筐体構造を提供することを目的とする。
【課題を解決するための手段】
【０００６】
上述の課題を解決するために、本発明による分岐接続箱は、次のような手段を用いる。
（１）筐体と、その筐体の内部に配設されたケーブルの分岐接続手段と、その筐体を外部物体に取付ける筐体取付け手段と、を備える分岐接続箱であって、
前記筐体は、
４体の縦フレームと四角枠体形状の横フレームとが組み合わせられて、立方体形状に形成されたフレーム立体と、
その上部に取付けられる蓋体と、
その下部に取付けられる底部フレームと、
その正面に着脱自在または開閉自在に取付けられる正面カバーと、
その裏面側に取付けられる裏面カバーと、
その左右側面に着脱自在または開閉自在に取付けられる２体の側面カバーと、
を備え、
前記筐体取付け手段は、
前記筐体を自立状態で据え付け（地面に据え付けする）するために、前記底部フレームに設けられた自立型取付け手段と、
前記筐体を壁掛け状態で据え付けする（壁面に据え付けする）ために、前記裏面カバーに設けられた壁掛け型取付け手段と、
の２つの手段を備えて構成される。
【０００７】
（２）(１)の分岐接続箱において、
前記筐体の底部フレームは、前記筐体の側面カバーの下部に位置するように設けられて、外部物体との自立型据え付けのためのボルト孔と固着用部材とを有し、
前記固着用部材によって、前記筐体の下部にある底部フレームが前記外部物体に据え付け固定されて、前記筐体の自立型取付けがなされる。
（３）(１)の分岐接続箱において、
前記筐体の裏面パネルは、外部物体との壁掛け型据え付けのための取付け孔と固着用部材とを備え、
前記固着用部材によって、前記筐体の背面にある裏面パネルが前記外部物体に据え付け固定されて、
前記筐体の壁掛け型取付けがなされる。
【０００８】
また、本発明による分岐接続箱は、次のような手段を用いることもできる。
（ａ）筐体吊上げ金具を固着した蓋体を、筐体上部の等辺または不等辺山形鋼（以下山形鋼と称する）からなるフレームに固着し、前記筐体の両側面および前面下部パネルを着脱自在に筐体に固着すると共に、前面上部パネルは筐体フレームに一端が蝶番結合により開閉自在に取付けて構成した、ことを特徴とする分岐接続箱の筐体構造である。
【０００９】
（ｂ）(ａ)の分岐接続箱の筐体構造において、
自立型の据え付けに対しては筐体フレーム両側面の底部に、架台据え付け用のボルト孔を設けた山形鋼等からなる底部フレームを筐体の内側に対向して設け、前記底部フレームを、据え付け現場において設けてある架台にボルト装置などで固着するようにした、ことを特徴とする分岐接続箱の筐体構造である。
【００１０】
（ｃ）(ａ)または(ｂ)の分岐接続箱の筐体構造において、
壁掛け型の据え付けに対しては、筐体裏面パネルに設けた損傷防止カラーに取付けてあるゴムキャップを取外し、ボルト装置などにより相手側の腕金物に固着することを特徴とする分岐接続箱の筐体構造である。
なお、壁掛型を自立型として使用する場合には、前記のゴムキャップを外さずに自立型として使用することが出来る。
【発明の効果】
【００１１】
本発明による分岐接続箱とその筐体構造によれば、自立型と壁掛け型の筐体構造をいずれの方式に対しても共用出来るようにしたため、客先の現場調査に基づく系統設計の動向に左右されずに、Ｅ分岐接続箱の筐体を製作し在庫を持つことが出来るので、即納体制を確立でき、経済性に優れ、しかも現場据え付け施工性並びに安全性に優れた筐体構造を提供することができる。
【発明を実施するための最良の形態】
【００１２】
以下、図面により、本発明による分岐接続箱の実施の形態について詳細に説明する。
図１は、本発明による分岐接続箱の自立型・壁掛け型共用型の筐体フレーム構造(フレーム立体)の一実施形態を示す斜視略図である。図中のフレームは、全て形鋼（山形鋼および／またはＬ形鋼）よりなり、縦フレーム「１２，１２１，１２２，１２３」と縦フレームのほぼ中間位置に補強用の４角枠体を形成する横フレーム「１８，１８１，１８２，１８３」が溶接され、前記横フレーム１２と略同形状の４角枠体からなる上部フレーム「２５，２５１，１５２，２５３」が縦フレーム上部に溶接されている。また、縦フレームの底部にはコの字状に前方を開放した底部フレーム「１４，１４１」が溶接された構造である。
【００１３】
図２は、本発明による分岐接続箱の自立型と壁掛け型との共用型の筐体構造の一実施形態を示す斜視図である。図中の１００は分岐接続箱、１は筐体本体、２は正面扉、３・３は側面カバー、４は天蓋であり、図１の上部フレームに被せ、上部フレームの２５１と２５３に吊上げ金具５，５を取付けて天蓋４を固定する。５は吊り金具、６は架台正面カバー、７は側面カバー３および架台正面カバー６に取付けられた取っ手（把手）金具、８は側面カバーおよび架台正面カバーを筐体縦フレーム１２に固定するためのボルトナット装置、９は正面扉２のロックキーノブ、１０は高圧注意表示パネル、１１は銘板、である。
【００１４】
図３は、分岐接続箱１００の筐体１を自立型として現場に据え付けた、ケーブル接続時の筐体の使用状況の１実施形態を示す斜視図である。即ち、ケーブル接続現場に予め据え付けられた架台１３に筐体１を載せ、筐体１の底部フレーム１４，１４1と架台１３に設けられた固定穴１５および１６（４箇所）を重ね合わせ、ボルトナット装置、例えば８などにより固定して自立状に設置される。
本発明の分岐接続箱１００の筐体１は、ケーブル分岐接続作業時では裏面カバー２０は縦フレーム１２から外さず、側面カバー３・３と架台正面カバー６とを筐体縦フレーム１２から取り外して接続作業が行われる。正面扉２は一端が縦フレーム１２に蝶番結合されて開閉自在な構造となっている。また、正面扉２の裏側には端末接続説明図１９が貼付されている。１７は分岐ケーブル接続部であり、図示のように接続が完了した後には、側面および正面カバーを縦フレーム１２にボルトナット装置８で固着して、この分岐接続箱１００が完成する。
【００１５】
図４は、本発明の分岐接続箱１００の筐体１を、壁掛け型として使用する場合の裏面側から見た斜視図を示している。同図はまた、取付け側壁面あるいはコンクリート柱などに固定されている腕金物２３に固定する方法について説明する図でもある。また、図５および図６は、上記の固定箇所Ａ部の側面から見た拡大説明図である。
裏面カバー２０を相手側の腕金物２３に固定する際、天蓋４の縁部が裏面カバー２０よりｈだけ突出しているため固定の支障となるので、図４のように、天蓋４の縁部突出高さｈに相当する損傷防止カラー２２を裏面カバー２０に溶接してある。この損傷防止カラー２２は、運搬などの際に、相手側金具などに当って損傷するのを避けるためゴムキャップ２１が嵌着されている。
【００１６】
腕金物２３に、分岐接続箱１００の筐体１を固定する手順は、次の通りである。
固定完了状態を図６に示すが、先ず、図５のように、
１）ゴムキャップ２１を損傷防止カラー２２から取り外す。
２）腕金物２３側からボルトナット装置２４のボルトを挿入して、そのナットを締付ける。
３）以上の手順で外の３箇所を締付けて固定作業が完了する。
【００１７】
なお、分岐接続箱１００の筐体１を屋外現場に設置する手順は、図３を参照して、代表例として自立型の設置について説明すれば以下の通りである。
１）約４００ｍ毎に鉄道線路脇に埋設トラフから立ち上げられたケーブル分岐接続箇所には、予め架台１３が据え付けられている。
２）筐体１の天蓋４に設けられた吊り金具にワイヤなどを通して筐体１を吊上げ、架台１３に載せる。
３）両側面カバー３、３および前面カバー２を取外し、架台１３に筐体１を固定する。なお、前記カバー類を取り外す際には、ボルトナット装置８を緩めて取外し、取っ手（把手）金具７などを持って手前に引けば安全に取り外すことが出来る。
４）前面上部カバー２は一端が縦フレームに蝶番結合とされているので、ケーブル分岐接続工事に支障とならない範囲で開いておき、筐体内でケーブルの分岐接続工事を行う。
５）この分岐接続工事完了後、再び両側面カバー３、３および前面カバー２を筐体フレームに取付けて現地据え付け工事が完了する。
【００１８】
従来の分岐接続箱は自立型と壁掛型の２種類があり、これらのいずれを使用するかは現地調査により決定が行われ且つ短納期が要求されていたため、予め製作して在庫製品で対応することが困難であった。このため、コスト高となるばかりでなく、筐体の側方に取付け金具が外方に突出しているため、躓きや引っ掛けなどにより怪我するおそれがあり、据え付け工事における安全面で問題であった。
本発明による分岐接続箱では、上記の問題点を解決することができた。
また、本発明による分岐接続箱では、自立型と壁掛け型との共通化を図る事により在庫生産を可能とし、いずれの据え付け方式となっても即納体制を確立し、且つ大幅なコストダウンを実現した分岐接続箱の筐体構造を提供することが出来るようにした。
【００１９】
本発明による分岐接続箱では、より具体的には、自立型では筐体フレーム両側面の底部に、架台据え付け用のボルト孔を設けた底部フレームを筐体の内側に対向して設け、架台にボルト装置などで固着するようにするとよい。また、壁掛型では、筐体裏面パネルに設けた損傷防止カラーを利用して、ボルト装置などにより相手側の腕金物に固着するようにし、いずれの場合でも固定金具などが筐体外部に突出しない安全性の高い共用型の分岐接続箱とその筐体構造とすることができる。
【図面の簡単な説明】
【００２０】
【図１】本発明による高圧ケーブル用の分岐接続箱において、自立型／壁掛け型の共用型の筐体フレーム構造の一実施形態を示す斜視略図。
【図２】本発明による高圧ケーブル用の分岐接続箱において、自立型と壁掛け型の共用型の筐体構造の一実施形態を示す斜視図。
【図３】本発明による高圧ケーブル用の分岐接続箱の筐体を自立型として現場に据え付けて、ケーブル接続時の筐体の使用状況の１実施形態を示す斜視図。
【図４】本発明による高圧ケーブル用の分岐接続箱の筐体を壁掛け型として使用する場合の裏面側から見た斜視図。
【図５】固定箇所Ａ部の側面から見た説明図拡大。
【図６】腕金物に筐体を固定した状況を示す説明拡大図。
【図７】従来の高圧ケーブル用の分岐接続箱において、自立型と壁掛形の構造を示す写真である。
【符号の説明】
【００２１】
１    筐体（筐体本体）
２    正面扉
３，３    側面カバー
４    天蓋
５    吊上げ金具
６    架台正面カバー
７    取っ手（把手）金具
８    ボルトナット装置
９    ロックキーノブ
１０    高圧注意表示パネル
１１    銘板
１２〜１２３    縦フレーム
１３    架台
１４，１４１    底部フレーム
１５    固定穴
１６    固定穴
１７    分岐ケーブ接続部
１８〜１８３    横フレーム
１９    端末接続説明図
２０    裏面カバー
２１    ゴムキャップ
２２    損傷防止カラー
２３    腕金物
２４    ボルトナット装置
２５〜２５３    上部フレーム
２６    貫通孔
ｈ    天蓋縁部突出高さ
【図１】
2008086120.tif 000003
【図２】
2008086120.tif 000004
【図３】
2008086120.tif 000005
【図４】
2008086120.tif 000006
【図５】
2008086120.tif 000007
【図６】
2008086120.tif 000008
【図７】
2008086120.tif 000009